【手続補正書】
【提出日】平成20年10月8日(2008.10.8)
【手続補正１】
【補正対象書類名】特許請求の範囲
【補正対象項目名】全文
【補正方法】変更
【補正の内容】
【特許請求の範囲】
【請求項１】
一対の基板と、前記一対の基板間に挟持される液晶とを有する液晶表示パネルを備え、
前記液晶表示パネルは、透過部と反射部とを有する複数のサブピクセルを有し、
前記複数のサブピクセルの各サブピクセルは、前記一対の基板のうち一方の基板上に形成された画素電極と、前記一方の基板上に形成された対向電極とを有し、
前記画素電極と前記対向電極とによって電界を発生させて前記液晶を駆動する半透過型液晶表示装置であって、
前記各サブピクセルは、前記画素電極が、前記透過部と前記反射部とで共通し一体に形成されており、前記対向電極が、前記透過部と前記反射部とでそれぞれ独立しており前記透過部と前記反射部とで互いに異なる基準電圧が印加されていることを特徴とする半透過型液晶表示装置。
【請求項２】
一対の基板と、前記一対の基板間に挟持される液晶とを有する液晶表示パネルを備え、
前記液晶表示パネルは、透過部と反射部とを有する複数のサブピクセルを有し、
前記複数のサブピクセルの各サブピクセルは、前記一対の基板のうち一方の基板上に形成された画素電極と、前記一方の基板上に形成された対向電極とを有し、
前記画素電極と前記対向電極とによって電界を発生させて前記液晶を駆動する半透過型液晶表示装置であって、
前記各サブピクセルは、前記画素電極が、前記透過部と前記反射部とで共通し一体に形成されており、前記対向電極が、前記透過部と前記反射部とでそれぞれ独立しており、
前記各サブピクセル内において、前記透過部あるいは前記反射部のうち一方の前記対向電極に印加される電位は、前記画素電極に印加される電位よりも高い電位で、前記透過部あるいは前記反射部のうち他方の前記対向電極に印加される電位は、前記画素電極に印加される電位よりも低い電位であることを特徴とする半透過型液晶表示装置。
【請求項３】
一対の基板と、前記一対の基板間に挟持される液晶とを有する液晶表示パネルを備え、
前記液晶表示パネルは、透過部と反射部とを有する複数のサブピクセルを有し、
前記複数のサブピクセルの各サブピクセルは、前記一対の基板のうち一方の基板上に形成された画素電極と、前記一方の基板上に形成された対向電極とを有し、
前記画素電極と前記対向電極とによって電界を発生させて前記液晶を駆動する半透過型液晶表示装置であって、
前記各サブピクセルは、前記画素電極が、前記透過部と前記反射部とで共通し一体に形成されており、前記対向電極が、前記透過部と前記反射部とでそれぞれ独立しており前記透過部と前記反射部とで互いに異なる基準電圧が印加されており、
前記透過部は、電圧を印加しない状態で黒表示となるノーマリブラック特性を有し、前記反射部は、電圧を印加しない状態で白表示となるノーマリホワイト特性を有することを特徴とする半透過型液晶表示装置。
【請求項４】
一対の基板と、前記一対の基板間に挟持される液晶とを有する液晶表示パネルを備え、
前記液晶表示パネルは、透過部と反射部とを有する複数のサブピクセルを有し、
前記複数のサブピクセルの各サブピクセルは、前記一対の基板のうち一方の基板上に形成された画素電極と、前記一方の基板上に形成された対向電極とを有し、
前記画素電極と前記対向電極とによって電界を発生させて前記液晶を駆動する半透過型液晶表示装置であって、
前記各サブピクセルは、前記画素電極が、前記透過部と前記反射部とで共通し一体に形成されており、前記対向電極が、前記透過部と前記反射部とでそれぞれ独立しており前記透過部と前記反射部とで互いに異なる基準電圧が印加されており、
前記対向電極は、１表示ライン毎にそれぞれ独立して駆動されることを特徴とする半透過型液晶表示装置。
【請求項５】
一対の基板と、前記一対の基板間に挟持される液晶とを有する液晶表示パネルを備え、
前記液晶表示パネルは、透過部と反射部とを有する複数のサブピクセルを有し、
前記複数のサブピクセルの各サブピクセルは、前記一対の基板のうち一方の基板上に形成された画素電極と、前記一方の基板上に形成された対向電極とを有し、
前記画素電極と前記対向電極とによって電界を発生させて前記液晶を駆動する半透過型液晶表示装置であって、
前記各サブピクセルは、前記画素電極が、前記透過部と前記反射部とで共通し一体に形成されており、前記対向電極が、前記透過部と前記反射部とでそれぞれ独立しており、
隣接する２つの表示ラインを、一方の表示ラインと他方の表示ラインとするとき、前記一方の表示ラインの前記各サブピクセルの前記透過部の前記対向電極と、前記一方の表示ラインの前記各サブピクセルの前記反射部の前記対向電極には、互いに異なる基準電圧が印加され、
前記一方の表示ラインの前記各サブピクセルの前記反射部の前記対向電極と、前記他方の表示ラインの前記各サブピクセルの前記透過部の前記対向電極には、同一の基準電圧が印加されることを特徴とする半透過型液晶表示装置。
【請求項６】
一対の基板と、前記一対の基板間に挟持される液晶とを有する液晶表示パネルを備え、
前記液晶表示パネルは、透過部と反射部とを有する複数のサブピクセルを有し、
前記複数のサブピクセルの各サブピクセルは、前記一対の基板のうち一方の基板上に形成された画素電極と、前記一方の基板上に形成された対向電極とを有し、
前記画素電極と前記対向電極とによって電界を発生させて前記液晶を駆動する半透過型液晶表示装置であって、
前記各サブピクセルは、前記画素電極が、前記透過部と前記反射部とで共通し一体に形成されており、前記対向電極が、前記透過部と前記反射部とでそれぞれ独立しており、
隣接する２つの表示ラインを、一方の表示ラインと他方の表示ラインとするとき、前記一方の表示ラインの前記各サブピクセルの前記透過部の前記対向電極と、前記一方の表示ラインの前記各サブピクセルの前記反射部の前記対向電極には、互いに異なる基準電圧が印加され、
前記一方の表示ラインの前記各サブピクセルの前記反射部の前記対向電極と、前記他方の表示ラインの前記各サブピクセルの前記透過部の前記対向電極には、同一の基準電圧が印加され、
前記対向電極は、１表示ライン毎にそれぞれ独立して駆動されることを特徴とする半透過型液晶表示装置。
【請求項７】
前記一方の表示ラインの前記各サブピクセルにおける前記反射部の前記対向電極と、前記他方の表示ラインの前記各サブピクセルにおける前記透過部の前記対向電極とは共通の電極であることを特徴とする請求項５または請求項６に記載の半透過型液晶表示装置。
【請求項８】
前記透過部の画素電極と、前記反射部の画素電極とは、電極の間隔が異なっていることを特徴とする請求項１ないし請求項７のいずれか１項に記載の半透過型液晶表示装置。
【請求項９】
前記反射部の前記画素電極は、反射率が７０％以下の金属で構成されていることを特徴とする請求項１ないし請求項８のいずれか１項に記載の半透過型液晶表示装置。
【請求項１０】
前記反射部の前記画素電極は、透明電極であり、前記反射部は反射膜を有し、前記反射膜は、前記反射部の前記画素電極と重畳する位置に、スリットを有することを特徴とする請求項１ないし請求項８のいずれか１項に記載の半透過型液晶表示装置。
【請求項１１】
前記一対の基板のうち他方の基板は、前記反射部の前記画素電極に対向する位置に遮光膜を有することを特徴とする請求項１ないし請求項８のいずれか１項に記載の半透過型液晶表示装置。
【請求項１２】
前記対向電極は、帯状の電極であり、
前記帯状の対向電極上に形成される層間絶縁膜を有し、
前記画素電極は、前記層間絶縁膜上に形成されることを特徴とする請求項１ないし請求項１１のいずれか１項に記載の半透過型液晶表示装置。
【請求項１３】
ｎを１以上の整数とするとき、ｎ番目の表示ラインの前記画素電極に対する映像電圧の書き込みに同期して、前記ｎ番目の表示ラインの前記反射部の前記対向電極と、（ｎ＋１）番目の表示ラインの前記透過部の前記対向電極に同一の基準電圧を印加することを特徴とする請求項１ないし請求項１２のいずれか１項に記載の半透過型液晶表示装置。
【請求項１４】
ｎを１以上の整数とするとき、ｎ番目の表示ラインの前記画素電極に対する映像電圧の書き込みに同期して、前記ｎ番目の表示ラインの前記透過部の前記対向電極と、（ｎ＋１）番目の表示ラインの前記反射部の前記対向電極に同一の基準電圧を印加することを特徴とする請求項１ないし請求項１２のいずれか１項に記載の半透過型液晶表示装置。
【請求項１５】
ｎを１以上の整数とするとき、ｎ番目の表示ラインの前記画素電極に対する映像電圧の書き込みに同期して、（ｎ＋１）番目の表示ラインの前記反射部の前記対向電極と、（ｎ＋２）番目の表示ラインの前記透過部の前記対向電極に同一の基準電圧を印加することを特徴とする請求項１ないし請求項１２のいずれか１項に記載の半透過型液晶表示装置。
【請求項１６】
ｎを１以上の整数とするとき、ｎ番目の表示ラインの前記画素電極に対する映像電圧の書き込みに同期して、（ｎ＋１）番目の表示ラインの前記透過部の前記対向電極と、（ｎ＋２）番目の表示ラインの前記反射部の前記対向電極に同一の基準電圧を印加することを特徴とする請求項１ないし請求項１２のいずれか１項に記載の半透過型液晶表示装置。